(57)【特許請求の範囲】
【請求項１】
底部と、この底部の全周から立ち上げた胴部、および前記胴部の開口上端縁の全周から外向きに張り出し、外周縁を下向きに屈曲した形のフランジとを有する発泡樹脂製の容器本体を成形する工程と、外表面に印刷表示が施された板紙製の胴部カバー体を、前記容器本体の胴部の外面全周にわたって仮に巻き付ける工程と、この後、前記胴部カバー体の上端縁が前記フランジの下面に当接するまで前記胴部カバー体を前記容器本体の軸心方向に相対移動させて該胴部外面上に接着する工程とを含むことを特徴とする即席食品等の二重容器の製造方法。
【請求項２】
請求項１記載の、胴部カバー体の上端縁がフランジの下面に当接するまで胴部カバー体を容器本体の軸心方向に相対移動させて該胴部外面上に接着する工程において、前記胴部カバー体を前記胴部外面上に剥離可能に接着することを特徴とする請求項１記載の即席食品等の二重容器の製造方法。
【請求項３】
前記胴部カバー体の総重量を前記容器本体の総重量よりも大にしてあることを特徴とする請求項２記載の即席食品等の二重容器の製造方法。
【発明の詳細な説明】
【０００１】
【発明の属する技術分野】
本発明は、即席食品や飲料等が入れられるのに有用なカップ形状の二重容器の製造方法に関する。
【０００２】
【従来の技術】
カップ形状の即席食品や飲料用容器には、発泡ポリスチレンなど発泡樹脂製の容器や紙製の容器がある。
【０００３】
【発明が解決しようとする課題】
発泡樹脂製の容器は断熱性に優れているが、この容器の外表面に、直接印刷すると、印刷が不鮮明になるという難点があった。また、発泡樹脂製の容器では、同一サイズの容器を空の状態で多数個積み重ね、この積み重ね容器群から１個ずつの容器を自動的に取り出して食品を充填する自動充填工程の容器取り出し時に、ときに２個の容器どうしが互いに密着して重なり合い分離しにくくなるというスタッキング（もしくはブロッキング）を生じ、一度に２個取りを起こすことがあるという不具合な問題点もあった。一方、紙製の容器は、外表面に印刷すると鮮明で視覚に訴える効果（ビジュアル効果）があり、しかもリサイクルが可能であり、また焼却処理が容易である反面、断熱効果が十分でなく、断熱効果を高めるために二重構造にするとコスト高になるという問題点があった。
【０００４】
本発明は、このような問題点を一挙に解決するためになされたものであり、その目的とするところは、印刷を鮮明にして視覚に訴えるビジュアル効果があるとともに、スタッキング防止、及び断熱効果に優れる二重容器を簡単に製造することのできる即席食品等の二重容器の製造方法を提供することにある。
【０００５】
【課題を解決するための手段】
本発明の即席食品等の二重容器の製造方法は、底部と、この底部の全周から立ち上げた胴部、および前記胴部の開口上端縁の全周から外向きに張り出し、外周縁を下向きに屈曲した形のフランジとを有する発泡樹脂製の容器本体を成形する工程と、外表面に印刷表示が施された板紙製の胴部カバー体を、前記容器本体の胴部の外面全周にわたって仮に巻き付けする工程と、この後、前記胴部カバー体の上端縁が前記フランジの下面に当接するまで前記胴部カバー体を容器本体の軸心方向に相対移動させて該胴部外面上に接着する工程とを含むことに特徴を有するものである。
この場合において、胴部カバー体の上端縁がフランジの下面に当接するまで胴部カバー体を容器本体の軸心方向に相対移動させて該胴部外面上に接着するという上記工程において、胴部カバー体を胴部外面上に剥離可能に接着することができる。また、前記胴部カバー体の総重量を前記容器本体の総重量よりも大にすることができる。
【０００６】
【作用】
上記方法により製造された同一サイズの二重容器を複数個上下に積み重ねると、下側の二重容器の容器本体の内面と上側の二重容器の胴部カバー体とが重なり合うが、胴部カバー体の印刷の施された外表面は印刷インキ層により滑り易くなっているので、上側の二重容器は下側の二重容器の容器本体の内面から抜き出し易く、したがって商品充填時におけるスタッキングの発生を防止でき、２個取り問題を解消できる。
【０００７】
また、所望の商品表示や模様、色彩等の印刷が施される胴部カバー体は板紙からなるため、鮮明な印刷が得られ、発泡樹脂製の容器本体に不足している印刷特性を補うことができ、印刷特性に優れ、視覚に訴える効果を発揮する。さらに、二重容器の発泡樹脂製の容器本体は断熱性に優れるため、板紙製の胴部カバー体に不足している断熱効果を補うことができる。
【０００８】
フランジはこれの外周縁を下向きに屈曲する形に形成してあると、フランジが剛性を有する断面形状となり、また容器内のラーメン汁等を吸うときにフランジに口を付けても口に傷感を与えることなく口触り良好になり、さらに蓋のタブを巻き込むのに利用できるなどの利点がある。しかし、このような断面形状のフランジを有する容器本体の胴部に胴部カバー体を巻き付けるとき、胴部カバー体の上端縁がフランジの下面に沿って当接するよう巻き付けるにはフランジの下向き外周縁が障害になるため、フランジの下面と胴部カバー体の上端縁との間から胴部カバー体の外面が露出するという見映えの悪い仕上がり状態となる。
そこで、胴部カバー体を外観的体裁の良好な巻き付け状態に仕上げるために、胴部カバー体を容器本体の胴部の外面に仮に巻き付けた後、胴部カバー体の上端縁がフランジの下面に当接するまで胴部カバー体を胴部の外面上で容器本体の軸心方向に移動させて接着するようにしてある。これによれば、フランジの下面と胴部カバー体の上端縁との間から胴部カバー体の外面が露出するような不具合が無くなるため、見映えの巻き付け状態に仕上げられる。
【０００９】
板紙製の胴部カバー体を発泡樹脂製の容器本体の胴部の外面上に剥離可能に接着してあると、廃棄時には板紙製の胴部カバー体を発泡樹脂製の容器本体から剥がすことにより両者を容易に分離することができ、板紙製の胴部カバー体は焼却又はリサイクル処理し、発泡樹脂製の容器本体はリサイクルすることができる。この場合、板紙製で焼却又はリサイクル処理しやすい方の胴部カバー体の総重量を、発泡樹脂製の容器本体のそれよりも大にしてあると、焼却又はリサイクル処理にかかるコストの低廉化を図れることになる。
【００１０】
【発明の実施の形態】
本発明の製造方法を実施するための好適な実施形態を図面に基づき説明する。図１は本発明の対象とする二重容器の半欠截断面図、図２は本発明の製造方法を工程順に示す説明図、図３は二重容器の積み重ね状態を示す断面図である。
【００１１】
本発明の対象とする二重容器は、図１に示すように、カップ形状の容器本体１と、この容器本体１の外面全周にわたって取り付けられる板紙製の胴部カバー体２からなる。容器本体１は、発泡ポリスチレン等の発泡樹脂でカップ形状に成形したもので、図示例の実施態様では上方開口部３に対して底部４の径が小さいテ−パ状のカップ形状に成形してある。図示例の容器本体１は、円形の底部４と、この底部４の全周から上方へ拡開状に立ち上げた胴部５とを有するテ−パ状のカップ形状に成形しており、その胴部５の開口上縁の全周からフランジ部６を外方へ一体に張出し形成している。フランジ６の断面形状は、フランジ６の剛性を高めるとともに、例えば、容器内のラーメン汁等を吸うときに口に傷感を与えることなく感触良好に口を付けたり、図４に示すごとく上方開口部３を塞ぐ蓋１２のタブ１２ａを巻き込み止めることに利用したりできるようにフランジ６の外周縁６１を下向きに屈曲した形に形成している。図１に示すように胴部５の下端寄り部５１は段差を付けてやや細く絞られた形に形成されて胴部５内面の下部に内方へ張り出す段部７が環状に付けられている。
【００１２】
一方、板紙製の胴部カバー体２はその外表面、好ましくはその外表面全体に所望の商品表示や模様、色彩意匠などの印刷８が施され、展開状態で横長の扇形状を呈するものである。
【００１３】
次に、上記のように成形された容器本体１の胴部５の外面全周にわたって胴部カバー体２を取り付ける方法について図２を参照にして説明する。まず、図２の（ａ）に示すごとく容器本体１を上記のように成形する。次いで、図２の（ｂ）に示すごとく横長の扇形状に展開した胴部カバー体２を、容器本体１の一側方から胴部５の外面全周にわたって仮に巻き付ける。この胴部カバー体２の巻き付け時には、フランジ６の下向き外周縁６１が障害になるため、同図の（ｃ）に示すように胴部カバー体２の上端縁２ａがフランジ６の下面６ａから離間したままとなる。これでは外観的に不体裁であるため、その仮巻き付け後、さらに、胴部カバー体２の上端縁２ａがフランジ６の下面６ａに当接するように胴部カバー体２を容器本体１の軸方向Ｘに相対移動させる。すると、同図の（ｄ）に示すように、胴部カバー体２の上端縁２ａはフランジ６の下面６ａに密着し、フランジ６の下向き外周縁６１により覆い隠されるので外部から見えなくなり、外観的に体裁の良い取り付け状態が得られる。
【００１４】
その際、容器本体１の胴部５の外面に対し胴部カバー体２は容易に剥離できるように取り付けることが、廃棄時に容器本体１と胴部カバー体２とを分離しやすくなるうえで望ましい。そのために、容器本体１の胴部５の外面に対し胴部カバー体２は点在的に接着剤で接着されたり、あるいは胴部カバー体２の巻終始端縁２ｂ，２ｄどうしの重合面間を接着剤で接合したり、胴部カバー体２の巻終端縁２ｂ、もしくは上下端縁２ａ，２ｃのいずれか一つ又は二つ以上の端縁のみが接着剤で接着されることにより容易に剥離できるように取り付けられる。また、板紙製の胴部カバー体２の総重量と発泡樹脂製の容器本体１のそれとを比較した場合、板紙製で焼却、リサイクル処理しやすい前者の総重量の方が後者のそれより大になるように設定することが好ましい。なお、図示例では胴部カバー体２の下端縁２ｃが容器本体１の底部４の外底面より少し上方に位置するように設定されるが、これに代えて、胴部カバー体２の下端縁２ｃが容器本体１の底部４の外底面と面一に設定されること、あるいは胴部カバー体２の下端縁２ｃが容器本体１の底部４の外底面より少し下方へ垂下する位置に設定されることは任意である。
【００１５】
また、容器本体１から胴部カバー体２を剥がすときに該胴部カバー体２をつまみ易くするために、図１に示すごとく胴部カバー体２の巻終端縁２ｂの下部、または同図中に二点鎖線で示すごとく巻終端縁２ｂの上部あるいは上下中間部などの適所につまみ部９を設ける。このつまみ部９を摘んで胴部カバー体２の巻終端縁２ｂと巻始端縁２ｄとの重合面間に接着された接合部を引き剥がすことができる。つまみ部９は図１に示すごとく舌片状に設けること、あるいは図５又は図６に示すごとく胴部カバー体２の下端縁２ｃや、上端縁２ａなどに２つの切込み１０，１０を入れ、この切込み１０，１０間につまみ部９を形成することなどは任意である。この場合、胴部カバー体２の中途部を破り易くするために、図５又は図６に示すごとくミシン目などの切離線１１を設けることもよい。その際、つまみ部９を摘んで引っ張る作用で胴部カバー体２を切離線１１に沿って破ることができるように切離線１１をつまみ部９に連係させて設けることが好ましい。
【００１６】
上記のように製造された二重容器は、印刷が板紙製の胴部カバー体２の外表面に施されているため鮮明であり、この印刷が施された胴部カバー体２の外表面は印刷インキ層により滑り易くなっているため、この二重容器が商品充填時に空の状態で多数個が積み重ねられるときもスタッキングが生じるのを防止できて１個ずつの取り出しがスムーズに行われる。また、この二重容器は、たとえば、熱湯でほぐされる即席ラーメン等の即席食品の容器に使用される場合、食用に際し熱湯が注がれるが、容器本体１は断熱性に優れる発泡樹脂からなるので、この容器本体１の断熱作用により内容物の熱が板紙製の胴部カバー体２に伝わるのを減少でき、断熱効果の不足している板紙製の胴部カバー体２も熱くなくて手で持ちやすくなる。
【００１７】
また、上記二重容器は、先にのべたように商品充填時に空の状態で多数個が上下にテ−パ嵌合状態に積み重ねられるが、容器本体１の胴部５内面の下部に段部７が付けられているので、図３に示すように、この段部７に上側の二重容器の胴部カバー体２の下端縁２ｃが当接することにより上側の二重容器が下側の二重容器内にそれ以上に深くテ−パ嵌合して強くはまり込むのが防止され、この点でも前述の１個ずつの取り出しが更に一層スムーズに行われる。
【００１８】
上記二重容器は、使用済み後に廃棄するとき胴部カバー体２を容器本体１の胴部５から剥がすことにより胴部カバー体２と容器本体１の両者を容易に分離させることができ、板紙製の胴部カバー体２は焼却又はリサイクル処理し、発泡樹脂製の容器本体１はリサイクルすることができる。この場合、板紙製で焼却、リサイクル処理しやすい胴部カバー体２の総重量を、発泡樹脂製の容器本体１のそれより大にしてあるので、それだけ焼却、リサイクル処理が容易にかつ低コストで行うことができる。
【００１９】
なお、容器本体１は断面円形のカップ形状に成形されるものに限定されず、断面長方形、断面正方形あるいはその他の断面多角形に形成されるもの、または断面楕円形に形成されるものなどにも同様に適用できる。
【００２０】
【発明の効果】
本発明によれば、印刷を鮮明にして視覚に訴える効果があるとともに、スタッキング防止、及び断熱効果に優れる二重容器を簡単に製造することができる。とくに、剛性を高めたり、口触りを良好にするよう外周縁を下向きにする断面形状のフランジを付けた発泡樹脂製の容器本体にも、板紙製の胴部カバー体を見映え良く取り付けることができるという利点がある。
【図面の簡単な説明】
【図１】本発明の対象とする二重容器の半欠截断面図である。
【図２】本発明の製造方法を工程順に示す説明図である。
【図３】図１の二重容器を積み重ね状態で示す断面図である。
【図４】図１の二重容器の上方開口部を塞いだ蓋のタブを巻き込み状態で示す一部断面図である。
【図５】他の実施例を示す胴部カバー体の一部正面図である。
【図６】更に他の実施例を示す胴部カバー体の一部正面図である。
【符号の説明】
１  容器本体
２  胴部カバー体
４  底部
５  胴部
６  フランジ
６１  フランジの外周縁
８  印刷
【図１】
0003546192.tif 000002
【図２】
0003546192.tif 000003
【図３】
0003546192.tif 000004
【図４】
0003546192.tif 000005
【図５】
0003546192.tif 000006
【図６】
0003546192.tif 000007